(57)【要約】【課題】  渦流を発生させる排水口取付用具において、ゴミ捕集用部材を楽に掃除できると共に、神経を使うことなく簡単に装着でき、また排水性能を低下させることなく、迅速且つ綺麗に排水できるようにする。【解決手段】  排水口１に同心状に装着させるフランジ部材２と、このフランジ部材２の開口状の孔部２ａに着脱自在に取り付けるゴミ捕集用部材３とを備える。このゴミ捕集用部材３を介して上記の排水口１に流れ込む排水に渦流を起こさせる凸段差状の渦流発生部６を、上記のフランジ部材２の上面に、真上から見てほぼ曲がりば傘歯車状に湾曲して複数形成する。【選択図】図１
2010174458.tif 000002
【特許請求の範囲】
【請求項１】
排水口に同心状に装着されるフランジ部材と、このフランジ部材の開口状の孔部に着脱自在に取り付けられるゴミ捕集用部材とを備え、このゴミ捕集用部材を介して上記の排水口に流れ込む排水に渦流を起こさせる凸段差状の渦流発生部が、上記のフランジ部材の上面に、真上から見てほぼ曲がりば傘歯車状に湾曲して複数形成されていることを特徴とする排水口取付用具。
【請求項２】
請求項１記載の排水口取付用具であって、渦流発生部が、フランジ部材の内周側に至るほど次第に高くなるよう形成されていることを特徴とする排水口取付用具。
【請求項３】
請求項１又は２記載の排水口取付用具であって、ゴミ捕集用部材の外周部の上面に、フランジ部材の内周側の渦流発生部の立ち上がり面に対応して配置される摘みが設けられていることを特徴とする排水口取付用具。
【請求項４】
請求項３記載の排水口取付用具であって、渦流発生部の立ち上がり面が、フランジ部材の外周側から見て摘みを隠蔽する大きさに形成されていることを特徴とする排水口取付用具。
【請求項５】
請求項１乃至４の何れかに記載の排水口取付用具であって、フランジ部材の下側に、フランジ部材と同心状に排水口に装着されてフランジ部材を受ける下側配置用のフランジ部材を備えて形成されていることを特徴とする排水口取付用具。
【発明の詳細な説明】
【技術分野】
【０００１】
本発明は、排水口取付用具に関し、更に詳しくは例えば浴室の防水パンやキッチンのシンクの排水口に取り付けて使用する排水口取付用具に関するものである。
【背景技術】
【０００２】
従来この種の取付用具としては、例えば特許文献１に記載されているものがある。
この従来品は、漏斗型封水筒の内面、或いはヘアキャッチャーの鍔の上面に、渦巻き水流を発生させる水向案内部が設けられている。そしてこの水向案内部の作用で排水に渦巻き水流を発生させ、この水流で石鹸かす等を排出すると共に、ヘアキャッチャーで毛髪を捕集する構造である。
【０００３】
而してこの従来品のように、漏斗型封水筒の内面に水向案内部を設けるのでは、渦流を発生させるため、漏斗型封水筒の排水穴の大きさを調節し、封水筒内に排水を滞留させる必要がある（特許文献１の段落番号０００８、００１０等参照）。
従ってこれによると、排水に時間がかかり、排水性能が低下するのを避けられない。
【０００４】
またヘアキャッチャーの鍔の上面に水向案内部を設ける場合は、水向案内部の配置位置（向き）によっては水流を妨げることになるため、従来品によると、へアキャッチャーの装着に神経を使い、装着に手間暇がかかるものであった。
【０００５】
また従来品のように、ヘアキャッチャーに水向案内部が設けられていると、へアキャッチャーの掃除に手間暇がかかり、また例えば掃除の際に不用意に取り扱うと、羽根状の水向案内部を壊す惧れがあった。
【先行技術文献】
【特許文献】
【０００６】
【特許文献１】特開２００７−１９８１３０号公報
【発明の概要】
【発明が解決しようとする課題】
【０００７】
本発明は、このような従来品の問題点に鑑み、提案されたものである。
従って本発明の解決しようとする技術的課題は、渦流を発生させる排水口取付用具において、ゴミ捕集用部材を楽に掃除できると共に、神経を使うことなく簡単に装着でき、また排水性能を低下させることなく、迅速且つ綺麗に排水できるよう形成した排水口取付用具を提供することにある。
【課題を解決するための手段】
【０００８】
本発明は、上記の課題を解決するため、次のような技術的手段を採る。
即ち本発明は、図１等に示されるように、排水口１に同心状に装着されるフランジ部材２と、このフランジ部材２の開口状の孔部２ａに着脱自在に取り付けられるゴミ捕集用部材３とを備え、このゴミ捕集用部材３を介して上記の排水口１に流れ込む排水に渦流を起こさせる凸段差状の渦流発生部６が、上記のフランジ部材２の上面に、真上から見てほぼ曲がりば傘歯車状に湾曲して複数形成されていることを特徴とする（請求項１）。
【０００９】
本発明の場合、渦流発生部６の曲率は、例えば浴室用、シンク用等の用途や、排水量、排水口１の大きさ等に応じて適宜選定されるので良い。またゴミ捕集用部材３は、椀状に凹まれているのが良いが、これに限定されるものではなく、例えば平面状に形成され、フランジ部材２の上面から一段低い位置に配置されるよう形成されているのでも良い。
【００１０】
また本発明の場合、渦流発生部６は、フランジ部材２の内周側に至るほど次第に高くなるよう形成されているのが好ましい（請求項２）。
なぜならこれによると、排水や毛髪等のゴミがフランジ部材２の外周側からフランジ部材２の上面を滑るように流れ、円滑に排水できるからである。
【００１１】
また本発明は、ゴミ捕集用部材３の外周部の上面に、フランジ部材２の内周側の渦流発生部６の立ち上がり面６ｄに対応して配置される摘み３ｂが設けられているのが好ましい（請求項３）。
なぜならこれによると、摘み３ｂを利用してゴミ捕集用部材３の着脱を容易にできるからである。またこの場合は、渦流発生部６の立ち上がり面６ｄによって、摘み３ｂに毛髪等のゴミが絡み付くことや、排水の流れが摘み３ｂで乱されることを抑えることができるからである。
【００１２】
またこの場合、渦流発生部６の立ち上がり面６ｄは、フランジ部材２の外周側から見て摘み３ｂを隠蔽する大きさに形成されているのが好ましい（請求項４）。
なぜならこれによると、一層、確実に毛髪等の絡み付きや乱流の発生を防止できるからである。
【００１３】
また本発明は、フランジ部材２の下側に、フランジ部材２と同心状に排水口１に装着されてフランジ部材２を受ける下側配置用のフランジ部材４を備えて形成されているのが好ましい（請求項５）。
なぜならこれによると、下側配置用のフランジ部材４を排水口１の所定位置に螺合による回転固定方式で取り付け、その後、この下側配置用のフランジ部材４を利用してフランジ部材２を、渦流発生部６の向きを最適な位置に合わせて圧入方式で固定できるからである。即ち、フランジ部材２を、直接、排水口１に回転固定すると、渦流発生部６の向きを最適な位置に合わせることが難しいのに対し、これによれば、フランジ部材２を圧入によって簡単、迅速に固定できるからである。
【発明の効果】
【００１４】
本発明は、このように排水口に同心状に装着するフランジ部材と、このフランジ部材の開口状の孔部に着脱自在に取り付けるゴミ捕集用部材とを備え、このゴミ捕集用部材を介して上記の排水口に流れ込む排水に渦流を起こさせる凸段差状の渦流発生部を、上記のフランジ部材の上面に、真上から見てほぼ曲がりば傘歯車状に湾曲して複数形成しているものである。
従って本発明の場合は、ゴミ捕集用部材の構造をシンプルにできるから、ゴミ捕集用部材が汚れても掃除を楽にでき、渦流発生部の向きを考慮する必要もないから、ゴミ捕集用部材の装着を、簡単、迅速にできる。
【００１５】
また本発明は、渦流発生部が防水パン等の上面に露出しているから、排水を滞留させることなく渦流を起こすことができ、水流に勢いを付け、排水性能を低下させることなく、迅速且つ綺麗に排水できる。
【図面の簡単な説明】
【００１６】
【図１】本発明の取付用具の好適な一実施形態を示す分解状態の要部斜視図である。
【図２】同上取付用具の取付時の要部斜視図である。
【図３】同上取付用具の平面図である。
【図４】図３のＩＶ−ＩＶ線における要部拡大断面図である。
【図５】同上取付用具の他の実施形態を示す斜視図である。
【発明を実施するための形態】
【００１７】
以下、本発明を実施するための形態を、図面に基づいて具体的に説明する。
本発明の取付用具は、図１等に示されるように、排水口１に同心状に装着されるフランジ部材２と、このフランジ部材２の開口状の孔部２ａに着脱自在に取り付けられるゴミ捕集用部材３と、またこの実施形態ではフランジ部材２の下側にフランジ部材２と同心状に排水口１に装着されてフランジ部材２を受ける下側配置用のフランジ部材４とを備えて形成されている。排水口１は、この実施形態では浴室用の防水パン５に形成されており、その下部には、図示は省略するが、排水を封水するためのトラップ部が設けられている。
【００１８】
本発明品の場合、上記のフランジ部材２は、その上面に、フランジ部材２の孔部２ａに流れ込む排水に渦流を起こさせる凸段差状の渦流発生部６が、真上から見てほぼ曲がりば傘歯車状に湾曲して、この実施形態では６個形成されている。即ち、渦流発生部６は、夫々孔部２ａの内方に渦を描くよう湾曲して同形状に且つ間隔を同一にして形成されている。
【００１９】
なお、フランジ部材２の上面は、孔部２ａに向かって下り勾配がつけられている。この勾配をきつくすると、排水の流速が増し、毛髪等のゴミをゴミ捕集用部材３の中心に集め易くなる。
【００２０】
また渦流発生部６は、毛髪が滑り易くなるよう、フランジ部材２の内周側に至るほど次第に高くなるよう形成されている。この実施形態の場合、渦流発生部６は、フランジ部材２の外周側の位置ではフランジ部材２の上面と同じ高さに形成されている。また渦流発生部６は、凹湾曲状の内面６ａと凸湾曲状に外面６ｂとが傾斜面状に形成され、天面６ｃはフランジ部材２の内周側を頂点にしてほぼ三角形状に形成されると共に、凸湾曲状の外面６ｂの側に向かって下り勾配が付けられている。
【００２１】
また上記のゴミ捕集用部材３は、この実施形態では椀状に凹まれ、排水を通す小孔３ａが多数形成されている。この小孔３ａは、この実施形態では渦流発生部６から流れ込む渦流に合わせて、ゴミ捕集用部材３の中心に向かって渦状になるよう位置決めされている。
【００２２】
またゴミ捕集用部材３は、その外周部の上面に、フランジ部材２の内周側の渦流発生部６の立ち上がり面６ｄに対応して配置される摘み３ｂが設けられている。
なおこの実施形態の場合は、ゴミ捕集用部材３を、フランジ部材２の筒部２ｂの内周面に形成されている突起２ｃに係合させて固定すると、摘み３ｂが渦流発生部６の立ち上がり面６ｄに対応して配置されるよう、突起２ｃと摘み３ｂの位置や、渦流発生部６と突起２ｃの個数が合わされて形成されている。
【００２３】
また上記の下側配置用のフランジ部材４は、図４に示されるように、排水口１の筒状部１ａの内周面に、この実施形態では螺子合わされて取り付けられている。そしてフランジ部材２は、渦流発生部６の向きを最適な位置に合わせて下側配置用のフランジ部材４に圧入されて固定されている。
【００２４】
次に本発明品の作用を説明する。
本発明品の場合、排水は、図３に矢印で示されるように、隣り合う渦流発生部６の間を湾曲状に流れ、フランジ部材２の外周側から内周側に流れるに連れて渦流発生部６によって渦流化する。そして排水は、ゴミ捕集用部材３の中に流れ込み、排水中の毛髪等のゴミはゴミ捕集用部材３で捕集される。
【００２５】
この場合、渦流発生部６は、上記の通り、この実施形態ではフランジ部材２の外周位置ではフランジ部材２の上面と同じ高さで、内周側になるほど次第に高く、しかも天面６ｃが凸湾曲状の外面６ｂの側に向かって低く形成されている。従って排水は、防水パン５の床面から渦流発生部６で抵抗を受けることなく、天面６ｃを滑って隣の湾曲状の溝形通路部分に流れ込み、渦流を発生させながら円滑に流れるものである。
またこの実施形態の場合、ゴミ捕集用部材３の摘み３ｂは、渦流発生部６の立ち上がり面６ｄで隠蔽されるように配置されている。従って摘み３ｂが、排水の流れを乱すことはない。
【００２６】
以上の処において、本発明の場合、渦流発生部６の形状は、上例に限定されるものではなく、例えばフランジ部材２の外周部から内周部まで同じ高さで形成されたり、厚みが同じ状態で形成されているのでも良く、要は真上から見て、ほぼ曲がりば傘歯車状に形成されているのであれば良い。
【００２７】
また渦流発生部６の個数が、例えば図５に示されるように５個の場合は、個数が少ない分、通常、渦流発生部６は長くなる。但し、この渦流発生部６は、フランジ部材２の外周部から形成される必要はない。
【００２８】
また本発明品は、上記のフランジ部材２、ゴミ捕集用部材３、及び下側配置用のフランジ部材４の形状も上例に限定されるものではない。上記のフランジ部材２と下側配置用のフランジ部材４は、一体に形成されているのでも良い。またゴミ捕集用部材３の摘み３ｂは、渦流発生部６の立ち上がり面６ｄより小さいほうが好ましいが、大きく形成されているのでも良い。
【符号の説明】
【００２９】
１      排水口
２      フランジ部材
２ａ    孔部
３      ゴミ捕集用部材
６      渦流発生部
【図１】
2010174458.tif 000003
【図２】
2010174458.tif 000004
【図３】
2010174458.tif 000005
【図４】
2010174458.tif 000006
【図５】
2010174458.tif 000007